(57)【要約】【解決手段】刃先６，７を有する先端部から基端部にわたり延設された上刃体３と下刃体４とを押圧操作てこ５により相対動させてこの上刃体３の刃先６と下刃体４の刃先７とを互いに接近または離間させるようにした爪切り本体１と、この爪切り本体１を収容する収容部１５を有するケース２とを備えている。ケース２は上下両刃体３，４の基端部に隣接する収容部１５の基端部で把持部１６を有している。把持部１６は、上下両刃体３，４の基端部と先端部とを結ぶ延設方向に沿った縦方向に対し直交する幅方向の両側で、それぞれ、収容部１５の基端部から幅方向へ突出する指掛部２２，２３を有している。【効果】指掛部２２，２３に指を掛けて爪切りを把持した状態で押圧操作てこ５を操作することができる。従って、爪切りの把持状態を安定させて爪切りを使用し易い。【選択図】図４
2005237777.tif 000002
【特許請求の範囲】
【請求項１】
刃先を有する先端部から基端部にわたり延設された上刃体と下刃体とを押圧操作てこにより相対動させてこの上刃体の刃先と下刃体の刃先とを互いに接近または離間させるようにした爪切り本体を備えた爪切りにおいて、
前記上下両刃体の基端部側に把持部を有し、この把持部は、上下両刃体の基端部と先端部とを結ぶ延設方向に沿った縦方向に対し直交する横方向の両側のうち少なくとも一方で、この上下両刃体の基端部側からこの横方向へ突出する指掛部を有している
ことを特徴とする爪切り。
【請求項２】
刃先を有する先端部から基端部にわたり延設された上刃体と下刃体とを押圧操作てこにより相対動させてこの上刃体の刃先と下刃体の刃先とを互いに接近または離間させるようにした爪切り本体と、この爪切り本体を収容する収容部を有するケースとを備えた爪切りにおいて、
前記ケースは前記上下両刃体の基端部に隣接する前記収容部の基端部で把持部を有し、この把持部は、上下両刃体の基端部と先端部とを結ぶ延設方向に沿った縦方向に対し直交する横方向の両側のうち少なくとも一方で、この収容部の基端部からこの横方向へ突出する指掛部を有している
ことを特徴とする爪切り。
【請求項３】
前記指掛部は横方向の両側のうち片側にのみ突出していることを特徴とする請求項１または請求項２に記載の爪切り。
【請求項４】
前記縦方向における最大寸法（Ｄ）と前記横方向における最大寸法（Ｅ）との比（Ｄ／Ｅ）を１以上６以下に設定したことを特徴とする請求項１または請求項２または請求項３に記載の爪切り。
【請求項５】
刃先を有する先端部から基端部にわたり延設された上刃体と下刃体とを押圧操作てこにより相対動させてこの上刃体の刃先と下刃体の刃先とを互いに接近または離間させるようにした爪切り本体を備えた爪切りにおいて、
前記上下両刃体の基端部側に把持部を有し、この把持部は、上下両刃体の基端部と先端部とを結ぶ延設方向に沿った縦方向に対し直交する横方向の両側で、それぞれ、この上下両刃体の基端部側からこの横方向へ突出する指掛部を有し、
この両指掛部で前記横方向における上下両刃体の基端部側からの突出寸法については、一方の指掛部のものと他方の指掛部のものとで互いに異なるように設定した
ことを特徴とする爪切り。
【請求項６】
刃先を有する先端部から基端部にわたり延設された上刃体と下刃体とを押圧操作てこにより相対動させてこの上刃体の刃先と下刃体の刃先とを互いに接近または離間させるようにした爪切り本体と、この爪切り本体を収容する収容部を有するケースとを備えた爪切りにおいて、
前記ケースは前記上下両刃体の基端部に隣接する前記収容部の基端部で把持部を有し、この把持部は、上下両刃体の基端部と先端部とを結ぶ延設方向に沿った縦方向に対し直交する横方向の両側で、それぞれ、この収容部の基端部からこの横方向へ突出する指掛部を有し、
この両指掛部で前記横方向における収容部の基端部からの突出寸法については、一方の指掛部のものと他方の指掛部のものとで互いに異なるように設定した
ことを特徴とする爪切り。
【請求項７】
前記一方の指掛部の突出寸法（Ａ）と前記他方の指掛部の突出寸法（Ｂ）との比（Ａ／Ｂ）を２以上に設定したことを特徴とする請求項５または請求項６に記載の爪切り。
【請求項８】
前記指掛部は、前記横方向のうち、上下両刃体の刃先が互いに接近または離間する方向に対し直交する方向に沿った幅方向へ突出することを特徴とする請求項１から請求項７のうちいずれかの請求項に記載の爪切り。
【請求項９】
前記一つの指掛部は上下両刃体の基端部側に隣接する基端部から先端部にわたり延設され、前記縦方向の両側でこの指掛部の基端部から先端部へ延びる内外両側面のうち、前記上下両刃先に近い内側面は、その内側面上にある基端点と先端点とを結ぶ想定線に対し凹状に凹んでいることを特徴とする請求項１から請求項８のうちいずれかの請求項に記載の爪切り。
【請求項１０】
前記一つの指掛部において、前記内外両側面のうち前記上下両刃先から遠い外側面は、その外側面上にある基端点と先端点とを結ぶ想定線に対し凸状に膨らんでいることを特徴とする請求項９に記載の爪切り。
【請求項１１】
前記内側面は凹状の曲面を有し、前記外側面は凸状の曲面を有することを特徴とする請求項１０に記載の爪切り。
【請求項１２】
前記一つの指掛部は前記内外両側面間で区画される表裏両面を有し、この表裏両面のうち少なくとも一方の面に凹所を設けたことを特徴とする請求項９から請求項１１のうちいずれかの請求項に記載の爪切り。
【請求項１３】
前記ケースは、硬質樹脂と軟質樹脂とを混合して成形されていることを特徴とする請求項２または請求項６に記載の爪切り。
【請求項１４】
前記ケースにおいて把持部に隣接する収容部の基端部には、凹所と、この凹所を囲う周縁部と、この凹所と周縁部との間の段差部とを設け、この凹所内と段差部と周縁部とにわたり一対のスリットを設けてこの両スリット間には前記上下両刃体のうち少なくとも一方の刃体に係止される両持ち梁状の板ばね部を設けたことを特徴とする請求項２または請求項６に記載の爪切り。
【発明の詳細な説明】
【技術分野】
【０００１】
本発明は、上刃体と下刃体とを押圧操作てこにより相対動させてこの上刃体の刃先と下刃体の刃先とを互いに接近または離間させるようにした爪切りに関するものである。
【背景技術】
【０００２】
下記特許文献１では、上刃体１と下刃体２と押圧操作てこ４とが爪飛散防止用ケース５内に収容されている。
【特許文献１】実公平６−８８０７号公報
【発明の開示】
【発明が解決しようとする課題】
【０００３】
しかし、爪飛散防止用ケース５に指を掛けにくいため、爪切りの把持状態が不安定になって爪切りの使い勝手が悪くなる。
この発明は、爪切りの把持状態を安定させて爪切りの使い勝手を良くすることを目的としている。
【課題を解決するための手段】
【０００４】
後記実施形態の図面（図１〜５）の符号を援用して本発明を説明する。
＊  請求項１〜４の発明
請求項１の発明にかかる爪切りは下記のように構成されている。
【０００５】
この爪切りは、刃先（６，７）を有する先端部（３ａ，４ａ）から基端部（３ｂ，４ｂ）にわたり延設された上刃体（３）と下刃体（４）とを押圧操作てこ（５）により相対動させてこの上刃体（３）の刃先（６）と下刃体（４）の刃先（７）とを互いに接近または離間させるようにした爪切り本体（１）を備えている。前記上下両刃体（３，４）の基端部（３ｂ，４ｂ）側に把持部（１６）を有している。この把持部（１６）は、上下両刃体（３，４）の基端部（３ｂ，４ｂ）と先端部（３ａ，４ａ）とを結ぶ延設方向に沿った縦方向（Ｘ）に対し直交する横方向（Ｙ）の両側のうち少なくとも一方で、この上下両刃体（３，４）の基端部（３ｂ，４ｂ）側からこの横方向（Ｙ）へ突出する指掛部（２２，２３）を有している。以下に述べる横方向とは、縦方向（Ｘ）を中心とする３６０度の範囲の方向をすべて含み、請求項８の発明における幅方向（Ｙ）はその横方向の一例である。
【０００６】
請求項２の発明にかかる爪切りは下記のように構成されている。
この爪切りは、刃先（６，７）を有する先端部（３ａ，４ａ）から基端部（３ｂ，４ｂ）にわたり延設された上刃体（３）と下刃体（４）とを押圧操作てこ（５）により相対動させてこの上刃体（３）の刃先（６）と下刃体（４）の刃先（７）とを互いに接近または離間させるようにした爪切り本体（１）と、この爪切り本体（１）を収容する収容部（１５）を有するケース（２）とを備えている。前記ケース（２）は前記上下両刃体（３，４）の基端部（３ｂ，４ｂ）に隣接する前記収容部（１５）の基端部（１５ｂ）で把持部（１６）を有している。この把持部（１６）は、上下両刃体（３，４）の基端部（３ｂ，４ｂ）と先端部（３ａ，４ａ）とを結ぶ延設方向に沿った縦方向（Ｘ）に対し直交する横方向（Ｙ）の両側のうち少なくとも一方で、この収容部（１５）の基端部（１５ｂ）からこの横方向（Ｙ）へ突出する指掛部（２２，２３）を有している。
【０００７】
請求項１または請求項２の発明を前提とする請求項３の発明において、前記指掛部（２３）は横方向（Ｙ）の両側のうち片側にのみ突出している。
請求項１〜３の発明では、指掛部（２２，２３）に指を掛けて爪切りを把持した状態で押圧操作てこ（５）を操作することができる。従って、爪切りの把持状態を安定させて爪切りを使用し易い。
【０００８】
請求項１または請求項２または請求項３の発明を前提とする請求項４の発明において、前記縦方向（Ｘ）における最大寸法（Ｄ）と前記横方向（Ｙ）における最大寸法（Ｅ）との比（Ｄ／Ｅ）を１以上６以下に設定した。例えば、８ｍｍ≦Ｅ≦１００ｍｍの場合、１５ｍｍ≦Ｄ≦１５０ｍｍに設定する。なお、これ以外に設定してもよい。請求項４の発明では、爪切りを把持し易い。
【０００９】
＊  請求項５〜７の発明
請求項５の発明にかかる爪切りは下記のように構成されている。
この爪切りは、刃先（６，７）を有する先端部（３ａ，４ａ）から基端部（３ｂ，４ｂ）にわたり延設された上刃体（３）と下刃体（４）とを押圧操作てこ（５）により相対動させてこの上刃体（３）の刃先（６）と下刃体（４）の刃先（７）とを互いに接近または離間させるようにした爪切り本体（１）を備えている。前記上下両刃体（３，４）の基端部（３ｂ，４ｂ）側に把持部（１６）を有している。この把持部（１６）は、上下両刃体（３，４）の基端部（３ｂ，４ｂ）と先端部（３ａ，４ａ）とを結ぶ延設方向に沿った縦方向（Ｘ）に対し直交する横方向（Ｙ）の両側で、それぞれ、この上下両刃体（３，４）の基端部（３ｂ，４ｂ）側からこの横方向（Ｙ）へ突出する指掛部（２２，２３）を有している。この両指掛部（２２，２３）で前記横方向（Ｙ）における上下両刃体（３，４）の基端部（３ｂ，４ｂ）側からの突出寸法（Ａ，Ｂ）については、一方の指掛部（２３）のもの（Ａ）と他方の指掛部（２２）のもの（Ｂ）とで互いに異なるように設定した。
【００１０】
請求項６の発明にかかる爪切りは下記のように構成されている。
この爪切りは、刃先（６，７）を有する先端部（３ａ，４ａ）から基端部（３ｂ，４ｂ）にわたり延設された上刃体（３）と下刃体（４）とを押圧操作てこ（５）により相対動させてこの上刃体（３）の刃先（６）と下刃体（４）の刃先（７）とを互いに接近または離間させるようにした爪切り本体（１）と、この爪切り本体（１）を収容する収容部（１５）を有するケース（２）とを備えている。前記ケース（２）は前記上下両刃体（３，４）の基端部（３ｂ，４ｂ）に隣接する前記収容部（１５）の基端部（１５ｂ）で把持部（１６）を有している。この把持部（１６）は、上下両刃体（３，４）の基端部（３ｂ，４ｂ）と先端部（３ａ，４ａ）とを結ぶ延設方向に沿った縦方向（Ｘ）に対し直交する横方向（Ｙ）の両側で、それぞれ、この収容部（１５）の基端部（１５ｂ）からこの横方向（Ｙ）へ突出する指掛部（２２，２３）を有している。この両指掛部（２２，２３）で前記横方向（Ｙ）における収容部（１５）の基端部（１５ｂ）からの突出寸法（Ａ，Ｂ）については、一方の指掛部（２３）のもの（Ａ）と他方の指掛部（２２）のもの（Ｂ）とで互いに異なるように設定した。
【００１１】
請求項５〜６の発明では、例えば両指掛部（２２，２３）のうち一方の指掛部（２２）に人差し指を掛けるとともに他方の指掛部（２３）に中指を掛けて爪切りを把持した状態で押圧操作てこ（５）を親指により操作することができる。従って、爪切りの把持状態を安定させて爪切りを使用し易い。
【００１２】
請求項５または請求項６の発明を前提とする請求項７の発明において、前記一方の指掛部（２３）の突出寸法（Ａ）と前記他方の指掛部（２２）の突出寸法（Ｂ）との比（Ａ／Ｂ）を２以上に設定した。例えば、３ｍｍ≦Ｂ≦２０ｍｍの場合、１０ｍｍ≦Ａ≦６０ｍｍに設定する。なお、これ以外に設定してもよい。請求項７の発明では、爪切りを把持し易い。
【００１３】
＊  請求項８の発明
請求項１から請求項７のうちいずれかの請求項の発明を前提とする請求項８の発明において、前記指掛部（２２，２３）は、前記横方向のうち、上下両刃体（３，４）の刃先（６，７）が互いに接近または離間する方向（Ｚ）に対し直交する方向に沿った幅方向（Ｙ）へ突出している。請求項８の発明では、指掛部（２２，２３）に指を掛けた状態で押圧操作てこ（５）を親指により操作し易い。
【００１４】
＊  請求項９〜１２の発明
請求項１から請求項８のうちいずれかの請求項の発明を前提とする請求項９の発明において、前記一つの指掛部（２３）は上下両刃体（３，４）の基端部（３ｂ，４ｂ）側に隣接する基端部から先端部にわたり延設され、前記縦方向（Ｘ）の両側でこの指掛部（２３）の基端部から先端部へ延びる内外両側面（２６，２７）のうち、前記上下両刃先（６，７）に近い内側面（２６）は、その内側面（２６）上にある基端点（２８）と先端点（３２）とを結ぶ想定線（３３）に対し凹状に凹んでいる。請求項９の発明では、凹状に凹んだ内側面（２６）に指を入れて掛けることができる。そのため、爪切りの把持状態をより一層安定させることができる。
【００１５】
請求項９の発明を前提とする請求項１０の発明において、前記一つの指掛部（２３）で前記内外両側面（２６，２７）のうち前記上下両刃先（６，７）から遠い外側面（２７）は、その外側面（２７）上にある基端点（３０）と先端点（３２）とを結ぶ想定線（３７）に対し凸状に膨らんでいる。請求項１０の発明では、凸状に膨らんだ外側面（２７）を手の平に支えることができる。そのため、爪切りの把持状態をより一層安定させることができる。
【００１６】
請求項１０の発明を前提とする請求項１１の発明において、前記内側面（２６）は凹状の曲面（３４）を有し、前記外側面（２７）は凸状の曲面（３８）を有する。請求項１１の発明では、爪切りの把持感触を良くすることができる。
【００１７】
請求項９から請求項１１のうちいずれかの請求項の発明を前提とする請求項１２の発明において、前記指掛部（２２，２３）は前記内外両側面（２４，２５，２６，２７）間で区画される表裏両面（５５，５６，４８，４９）を有し、この表裏両面（５５，５６，４８，４９）のうち少なくとも一方の面（４８，４９）に凹所（５０）を設けた。請求項１２の発明では、この凹所（５０）にも指を入れて掛けることができる。そのため、爪切りの把持状態をより一層安定させることができる。
【００１８】
＊  請求項１３の発明
請求項２または請求項６の発明を前提とする請求項１３の発明において、前記ケース（２）は、硬質樹脂と軟質樹脂とを混合して成形されている。請求項１３の発明では、把持部（１６）を有するケース（２）について硬さと柔軟性を維持することができる。そのため、把持感触を良くすることができるとともに強度も保つことができる。
【００１９】
＊  請求項１４の発明
請求項２または請求項６の発明を前提とする請求項１４の発明において、前記ケース（２）で把持部（１６）に隣接する収容部（１５）の基端部（１５ｂ）には、凹所（５０）と、この凹所（５０）を囲う周縁部（５１）と、この凹所（５０）と周縁部（５１）との間の段差部（５２）とを設け、この凹所（５０）内と段差部（５２）と周縁部（５１）とにわたり一対のスリット（５３）を設けてこの両スリット（５３）間には前記上下両刃体（３，４）のうち少なくとも一方の刃体（４）に係止される両持ち梁状の板ばね部（５４）を設けた。請求項１４の発明では、板ばね部（５４）の強度を保つことができる。
【発明の効果】
【００２０】
本発明は、爪切りの把持状態を安定させて爪切りの使い勝手を良くすることができる。
【発明を実施するための最良の形態】
【００２１】
以下、本発明の一実施形態にかかる爪切りについて図面を参照して説明する。
この爪切りは、図１〜４及び図５，６に示すように、下記＊で詳述する爪切り本体１と爪飛散防止ケース２とを備えている。
【００２２】
＊  前記爪切り本体１
この爪切り本体１は上刃体３と下刃体４と押圧操作てこ５とを備えている。
この上刃体３と下刃体４とは、金属により板状に成形され、先端部３ａ，４ａから基端部３ｂ，４ｂにわたり前後方向Ｘ（この先端部３ａ，４ａと基端部３ｂ，４ｂとを結ぶ延設方向に沿った縦方向）へ延設され、この基端部３ｂ，４ｂで互いに固着されている。この上刃体３の先端部３ａと下刃体４の先端部４ａとにはそれぞれ刃先６，７が形成されて上下方向Ｚで互いに対向している。この上刃体３の基端部３ｂと下刃体４の基端部４ｂとにはそれぞれ係止孔８が貫設されて上下方向Ｚで互いに重合されている。この上刃体３と下刃体４とにはそれらの刃先６，７の付近で支持孔９が上下方向Ｚへ貫設されている。それらの支持孔９に支軸１０が挿通され、この支軸１０の下端部に形成された頭部１０ａが下刃体４の下側に係止されているとともに、この支軸１０の上端部である支持部１０ｂが上刃体３の上側に突出している。
【００２３】
前記押圧操作てこ５においては、金属により成形された支持板１１が基端部から先端部にわたり延設され、この支持板１１の基端部付近から先端部にわたり合成樹脂製の指当部１２が取着されて表裏両面５ａ，５ｂ側に露出している。この支持板１１の基端部には二股状の支持部１３が形成され、この支持部１３の左右両腕部１３ａ間に前記支軸１０の支持部１０ｂが挿入され、この両腕部１３ａと支持部１０ｂとに支持ピン１４が挿着されている。この押圧操作てこ５を上下両刃体３，４の支持孔９に対し支軸１０の中心線１０ｃを中心に支軸１０とともに回動させ、この押圧操作てこ５を支軸１０に対し支持ピン１４の中心線１４ａを中心に支持ピン１４とともに回動させる。その回動操作により、この押圧操作てこ５は、裏面５ｂ側が上刃体３上に接近して面するとともに表面５ａ側が上方を向いて上刃体３上に重ねられる倒伏状態Ｐと、表面５ａ側が上刃体３上に面して離間するとともに裏面５ｂ側が上方を向いて傾斜する操作状態Ｑとを取る。
【００２４】
＊  前記爪飛散防止ケース２
このケース２においては、前記爪切り本体１の上下両刃体３，４を主に収容する収容部１５が前端部１５ａ（先端部）から後端部１５ｂ（基端部）にわたり前後方向Ｘへ延設され、この収容部１５の後端部１５ｂ側で把持部１６が収容部１５と一体に成形されている。このケース２は硬質樹脂と軟質樹脂とを混合して成形されている。この硬質樹脂としては、例えば、ポリプロピレンやポリスチレンやポリエステルを採用する。この軟質樹脂としては、例えば、熱可塑性エラストマ（ショア硬度Ａ６０〜Ａ９０）やゴムを採用する。この硬質樹脂の混合割合は全体の３０〜８０％であり、そのほかは軟質樹脂である。
【００２５】
前記収容部１５においては、下壁部１７と左右両側壁部１８，１９と後壁部２０との間で形成された溝部２１が前後方向Ｘへ延設され、この溝部２１は下壁部１７に面する上側で開放されているとともに後壁部２０に面する前側で開放されている。前記把持部１６は左右両指掛部２２，２３を有している。この左右両指掛部２２，２３は、前後方向Ｘに対し直交する横方向（前後方向Ｘを中心とする３６０度の範囲の方向）のうち左右方向Ｙ（幅方向）の両側でそれぞれ左右両側壁部１８，１９に隣接する基端部から先端部にわたり左右方向Ｙへ突出し、前後方向Ｘ（縦方向）の両側でそれぞれ基端部から先端部へ延びる内外両側面２４，２５，２６，２７を有している。
【００２６】
前記右側指掛部２３で前記収容部１５の前端部１５ａに近い内側面２６において、基端部と右側壁部１９との境界部分を基端点２８とする。この右側指掛部２３で収容部１５の前端部１５ａから遠い外側面２７において、この内側面２６の基端点２８を通って前後方向Ｘへ延びる直線２９が通る後壁部２０との境界部分を基端点３０とする。この内側面２６が基端点２８から先端部へ向けて延設され、この外側面２７が基端点３０から先端部へ向けて延設され、その先端部で前記直線２９に平行な直線３１が通るこの内側面２６と外側面２７との境界部分を先端点３２とする。この内側面２６においては、この基端点２８と先端点３２とを結ぶ前側想定線３３に対し凹状に凹む凹曲面３４が基端点２８から先端部へ向けて延設され、この前側想定線３３に対し凸状に膨らむ凸曲面３５が先端点３２から基端部へ向けて延設され、この凹曲面３４と凸曲面３５とが前側想定線３３上の中間点３６で互いに滑らかに連続している。この外側面２７においては、この基端点３０と先端点３２とを結ぶ後側想定線３７に対し凸状に膨らむ凸曲面３８が基端点３０と先端点３２との間で延設されている。この内側面２６の凹曲面３４と右側壁部１９、この内側面２６の凸曲面３５とこの外側面２７の凸曲面３８、この凸曲面３８と後壁部２０の外面とは、それぞれ、互いに滑らかに連続している。
【００２７】
前記左側指掛部２２で前記収容部１５の前端部１５ａに近い内側面２４において、基端部と左側壁部１８との境界部分を基端点３９とする。この左側指掛部２２で収容部１５の前端部１５ａから遠い外側面２５において、この内側面２４の基端点３９を通って前後方向Ｘへ延びる直線４０が通る後壁部２０との境界部分を基端点４１とする。この内側面２４が基端点３９から先端部へ向けて延設され、この外側面２５が基端点４１から先端部へ向けて延設され、その先端部で前記直線４０に平行な直線４２が通るこの内側面２４と外側面２５との境界部分を先端点４３とする。この内側面２４においては、この基端点３９と先端点４３とを結ぶ前側想定線４４に対し凸状に膨らむ凸曲面４５が基端点３９と先端点４３との間で延設されている。この外側面２５においては、この基端点４１と先端点４３とを結ぶ後側想定線４６に対し凸状に膨らむ凸曲面４７が基端点４１と先端点４３との間で延設されている。この内側面２４の凸曲面４５と左側壁部１８、この内側面２４の凸曲面４５とこの外側面２５の凸曲面４７、この凸曲面４７と後壁部２０とは、それぞれ、互いに滑らかに連続している。
【００２８】
前記右側指掛部２３において前記直線２９に対し前記先端点３２が幅方向（左右方向Ｙ）でなす距離（突出寸法）をＡとし、前記左側指掛部２２において前記直線４０に対し前記先端点４３が幅方向（左右方向Ｙ）でなす距離（突出寸法）をＢとし、この直線２９と直線４０とが幅方向（左右方向Ｙ）で互いになす距離（横幅）をＣとする。この突出寸法Ａと突出寸法Ｂとは互いに異なり、それらの比Ａ／Ｂは、２以上、好ましくは３以上１０以下に設定されている。また、この突出寸法Ａと横幅Ｃとの比Ａ／Ｃは、０．２以上、好ましくは０．５以上１０以下に設定され、この突出寸法Ｂと横幅Ｃとの比Ｂ／Ｃは、０．１以上、好ましくは０．１５以上３以下に設定されている。ちなみに、１０ｍｍ≦Ａ≦６０ｍｍ、３ｍｍ≦Ｂ≦２０ｍｍ、５ｍｍ≦Ｃ≦２０ｍｍに設定することが好ましい。なお、これらの比Ａ／Ｂ，Ａ／Ｃ，Ｂ／Ｃの範囲やこれらの距離Ａ，Ｂ，Ｃの範囲については上記具体的数値範囲以外にも設定可能である。
【００２９】
前記収容部１５の後端部１５ｂ側で、その下壁部１７の外面と、左側指掛部２２において内外両側面２４，２５間で区画される裏面４８と、右側指掛部２３において内外両側面２６，２７間で区画される裏面４９とにわたり、凹所５０が形成されている。この凹所５０は周縁部５１により囲まれ、この凹所５０と周縁部５１との間の段差部５２が形成されている。前記収容部１５の下壁部１７においては、この凹所５０内と段差部５２と周縁部５１とにわたり左右一対のスリット５３が前後方向Ｘへ延びるように形成されてこの左右両スリット５３間に両持ち梁状の板ばね部５４が形成されている。前記収容部１５の溝部２１でこの板ばね部５４の内側には係止突起５４ａが形成されている。この溝部２１において左右両側壁部１８，１９の上端縁には、左側指掛部２２において内外両側面２４，２５間で区画される表面５５と、右側指掛部２３において内外両側面２６，２７間で区画される表面５６と後壁部２０の上端縁とから延びて前記左右両スリット５３に対し上下方向Ｚで面する係止壁部５７が左右方向Ｙで相対向して形成されている。なお、把持部１６で裏面４８，４９と表面５５，５６とがなす最大厚みについては例えば４〜３０ｍｍに設定することができる。また、図示しないが、前記収容部１５において、両係止壁部５７を左右方向Ｙで互いにつなぎ、前記把持部１６の表面５５，５６に対し面一になる閉塞壁部を設けて、上下両刃体３，４の基端部３ｂ，４ｂで係止孔８及びその周辺を覆い隠してもよい。
【００３０】
＊  前記爪飛散防止ケース２に対する前記爪切り本体１の収容状態
この爪切り本体１の上下両刃体３，４をこのケース２の収容部１５の溝部２１に収容すると、この上下両刃体３，４の基端部３ｂ，４ｂがこの収容部１５の後端部１５ｂで左右両係止壁部５７の内側に挿入されて板ばね部５４の係止突起５４ａがこの基端部３ｂ，４ｂの係止孔８に板ばね部５４の弾性力により係入される。この収容部１５の前端部１５ａにおいて、下壁部１７の前端部に形成された切込み５８は、支軸１０の頭部１０ａに当てがわれるとともに、左右両側壁部１８，１９の前端部に形成された切込み５９は、上下両刃体３，４の刃先６，７間の左右両側に位置する。また、収容部１５の前端部１５ａと後端部１５ｂとの間の中間部において、左右両側壁部１８，１９の内側に左右方向Ｙで相対向して形成された左右両突条６０は、溝部２１で上下両刃体３，４間に挿入される。一方、前記押圧操作てこ５を前記倒伏状態Ｐにすると、押圧操作てこ５の指当部１２の先端部側は、収容部１５の左右両側壁部１８，１９の上端部に載せられるとともに、左右両指掛部２２，２３に形成された切欠き凹部６１に入り込んで載せられる。
【００３１】
このような収容状態で、前後方向Ｘ（縦方向）における最大寸法をＤとし、前記左右方向Ｙ（幅方向）における最大寸法をＥとした場合、それらの比Ｄ／Ｅは、１以上６以下、好ましくは１．２以上５以下に設定されている。この左右方向Ｙの最大寸法Ｅは前記右側指掛部２３の突出寸法Ａと前記左側指掛部２２の突出寸法Ｂと前記収容部１５の横幅Ｃとの和に等しい。ちなみに、１５ｍｍ≦Ｄ≦１５０ｍｍ、８ｍｍ≦Ｅ≦１００ｍｍに設定することが好ましい。また、この上下両刃体３，４の刃先６，７と前記右側指掛部２３の基端点２８との間の距離をＦとし、この右側指掛部２３の両基端点２８，３０間の距離をＧとした場合、それらの比Ｆ／Ｇは、１以上８下以下、好ましくは１．５以上５以下に設定されている。この前後方向Ｘの最大寸法Ｄはこれらの距離Ｆ，Ｇの和に等しい。ちなみに、１０ｍｍ≦Ｆ≦１４０ｍｍ、１０ｍｍ≦Ｇ≦５０ｍｍに設定することが好ましい。さらに、この上下両刃体３，４の刃先６，７と前記左側指掛部２２の基端点３９との間の距離をＨとし、この左側指掛部２２の両基端点３９，４１間の距離をＩとした場合、それらの比Ｈ／Ｉは、１以上８以下、好ましくは１．５以上５以下に設定されている。ちなみに、１０ｍｍ≦Ｈ≦１４０ｍｍ、１０ｍｍ≦Ｉ≦５０ｍｍに設定することが好ましい。なお、これらの比Ｄ／Ｅ，Ｆ／Ｇ，Ｈ／Ｉの範囲やこれらの距離Ｄ，Ｅ，Ｆ，Ｇ，Ｈ，Ｉの範囲については上記具体的数値範囲以外にも設定可能である。
【００３２】
この爪切りを使用する際に、例えば、把持部１６の左右両指掛部２２，２３の外側面２５，２７及び収容部１５の後壁部２０の外面を右手の平に向けた状態で、人差し指を左側指掛部２２の内側面２４に当てがうとともに、中指を右側指掛部２３の内側面２６の凹曲面３４に当てがい、操作状態Ｑにある押圧操作てこ５を親指により押さえると、刃体３と下刃体４とが上下方向Ｚへ相対動してそれらの刃先６，７が互いに接近または離間する。この左右両指掛部２２，２３の外側面２５，２７と後壁部２０の外面とは、凸状の曲面をなすように滑らかに膨らんでいるので、手の平になじみ易くなり、例えば親等が乳幼児の爪を切る際にも持ち易く使い勝手が良くなる。
【００３３】
ちなみに、押圧操作てこ５が収容部１５から右側指掛部２３側へ外れた位置で倒伏している状態から、その押圧操作てこ５を収容部１５の切欠き凹部６１に入り込ませる場合、押圧操作てこ５の裏面５ｂの先端部が右側指掛部２３の表面５６で内側面２６に近接する面に接触しながら回動して案内される。その案内動作を円滑に行うために、右側指掛部２３においては、先端点３２側から基端点２８，３０側へ向かうほど表裏両面５５，４９間の厚みが大きくなるように裏面４９及び表面５６が滑らかに傾斜しているとともに、この裏面４９及び表面５６と内側面２６及び外側面２７との境界縁部がアール状に形成されている。
【００３４】
図７に示す本実施形態の別例にかかる爪切りにおいては、図５に示す爪切りと比較して、左右両指掛部２２，２３のうち左側指掛部２２が省略されている。
図示しないが、爪飛散防止ケース２を省略し、爪切り本体１の上下両刃体３，４の基端部３ｂ，４ｂに把持部を一体に形成したり、その基端部３ｂ，４ｂに対し別体の把持部を接着やインサート成形や接続部材などの取付手段により着脱不能または着脱可能に取り付けたりしてもよい。
【図面の簡単な説明】
【００３５】
【図１】本実施形態にかかる爪切りにおいて爪切り本体を爪飛散防止ケースから取り出した分解状態を示す斜視図である。
【図２】上記爪切り本体を爪飛散防止ケースに収容した不使用状態を平面側から見た斜視図である。
【図３】上記不使用状態を底面側から見た斜視図である。
【図４】上記爪切り本体を爪飛散防止ケースに収容した使用状態を平面側から見た斜視図である。
【図５】本実施形態にかかる爪切りにおいて不使用状態を示す平面図である。
【図６】本実施形態にかかる爪切りにおいて不使用状態を示す断面図である。
【図７】本実施形態の別例にかかる爪切りにおいて不使用状態を示す平面図である。
【符号の説明】
【００３６】
１…爪切り本体、２…爪飛散防止ケース、３…上刃体、４…下刃体、３ａ，４ａ…先端部、３ｂ，４ｂ…基端部、５…押圧操作てこ、６…上刃先、７…下刃先、１５…収容部、１６…把持部、２２，２３…指掛部、２４，２６…内側面、２５，２７…外側面、２８，３０，３９，４１…基端点、３２，４３…先端点、３３，３７…想定線、３４…凹曲面、３８…凸曲面、４８，４９…裏面、５０…凹所、５１…周縁部、５２…段差部、５４…板ばね部、５５，５６…表面、Ｘ…前後方向（縦方向）、Ｙ…左右方向（横方向のうち幅方向）。
【図１】
2005237777.tif 000003
【図２】
2005237777.tif 000004
【図３】
2005237777.tif 000005
【図４】
2005237777.tif 000006
【図５】
2005237777.tif 000007
【図６】
2005237777.tif 000008
【図７】
2005237777.tif 000009